(57)【要約】【課題】  それぞれが独立し、干渉する複数の盤体のセットを具え、比較的好ましい安全性を具えた複数段階の盤体のセットを具えた複数セットの鍵を提供することを課題とする。【解決手段】座体と管体を具えた鍵座と、第一桿体と第二桿体と第三桿体を具えた接続座と、第一回転盤と駆動管を具えた第一番号発信盤と、第二回転盤と駆動軸を具えた第二番号発信盤と、切り欠け口を具えた第一盤体セットと、切り欠け口を具えた第二盤体セットと、座体とドア板を貫通する複数の第一ネジと、第一桿体に貫通する複数の第二ネジと、駆動軸の端縁ネジを螺設する第三ネジと、を含んでなり、第二桿体と第一桿体の間に第一空間が、第三桿体と第二桿体との間に第二空間が形成される。【選択図】  図１
2011064027.tif 000002
【特許請求の範囲】
【請求項１】
鍵座と、接続座と、第一番号発信盤と、第二番号発信盤と、第一盤体セットと、第二盤体セットと、複数の第一ネジと、複数の第二ネジと、第三ネジと、を含んでなり、
該鍵座が、座体と、該座体から延伸した管体とを具えてなり、該座体が複数の孔を具えてなり、該管体がドア板を貫通し、端縁部の外側にネジ溝段を設けてなり、
該接続座が、第一桿体と、第二桿体と、第三桿体とを含んでなり、第一桿体が中央に形成されたネジ孔と、二つの端縁ネジ孔と、複数の貫通孔とを具えてなり、該中央のネジ孔が鍵座の管体のネジ溝段を螺設するために供し、第二桿体と第一桿体との間に第一空間が形成され、第二桿体が軸溝と、軸孔とを具えてなり、該軸溝が第二桿体が第一空間に対向する側面に位置するように設けられ、該軸孔がもう一方の側面で軸溝に貫通して設けられ、第三桿体と第二桿体との間に第二空間が形成され、該第三桿体が軸孔に貫通して設けられ、
該第一番号発信盤が、第一回転盤と、駆動管とを含んでなり、第一回転盤が鍵座の座体の外側に位置するように設けられ、駆動管が鍵座の管体に回転自在に設けられ、駆動管の一端が第一回転盤上に接続し、他端に設けられた凸段が、第二桿体の軸溝に回動自在に設けられ、
該第二信号発信盤が、第二回転盤と、駆動軸とを具えてなり、第二回転盤が第一回転盤の外側に位置するように設けられ、駆動軸が駆動管と第二桿体の軸孔に回転自在に設けられ、駆動軸の一端が第二回転盤に接続し、他端が第三桿体の軸孔に回動自在に設けられた凸段を具えてなり、駆動軸の外側上の第二空間に対応する位置にネジ溝段が設けられ、凸段の端縁面に端縁ネジ孔が設けられ、
該第一盤体セットが、少なくとも二個以上の互いに係合して組み合わせて回転する盤体で、それぞれの盤体の外周縁部には切り欠け口が設けられ、盤体が軸部を具えてなり、該軸部がネジ孔を貫通し、駆動管のネジ溝段に螺設するために供され、残った盤体がそれぞれ軸部に回転自在に設けられ、
該第二盤体セットが、少なくとも二以上の係合して組み合わせて回転する盤体で、それぞれの盤体の外周縁部には切り欠け口が設けられ、該盤体が軸部を具えてなり、該軸部がネジ孔を貫通し、駆動管のネジ溝段に螺設するために供し、残りの盤体がそれぞれ回転自在に軸部に設けられ、
該複数の第一ネジが、それぞれ座体の複数の孔とドア板を貫通し、第一桿体の二つの端縁ネジ孔に螺設され、
該複数の第二ネジが、それぞれ第一桿体の複数の貫通孔に貫通し、ドア板上に螺接し、
該第三ネジが、第三桿体の外側から駆動軸の端縁部の端縁ネジを螺設することを特徴とする複数の盤体セットを具えた鍵。
【請求項２】
前記接続座が、第一桿体の側面から平行に間隔を供えた二本の第四桿体を具えてなり、二本の第四桿体がそれぞれ第二桿体と第三桿体の両端に接続し、第一盤体セットと、第二盤体セットのそれぞれの盤体の外周縁部には複数の凸出した模様を具えてなり、さらに少なくとも一以上の干渉片を第四桿体上に接続し、該干渉片が少なくとも一以上の弾性片で斜面が延伸して一端が盤体の端縁部に当接することを特徴とする請求項１に記載の複数の盤体セット具えた鍵。
【請求項３】
前記干渉片が、弾性片から延伸した固定片を具えてなり、複数の螺子で第四桿対上に固定片を螺設することを特徴とする請求項２に記載の複数の盤体セットを具えた鍵。
【請求項４】
前記第一盤体セットが、位置決めナットを含んでなり、第一盤体セットの一つの盤体の軸部上には位置決めナットを螺設するために供する位置決めネジ孔を具えてなり、該位置決めナットの端縁部が駆動管のネジ溝段に当接し、盤体が駆動管に固定され、
第二盤体セットが位置決めナットを含んでなり、第二盤体セットの一つの盤体の軸部上に位置決めネジ孔が位置決めナットを螺設するために供し、位置決めナットの端縁部が駆動軸のネジ溝段に当接し、盤体が駆動軸上に強固に固定されることを特徴とする請求項３に記載の複数の盤体セットを具えた鍵。
【発明の詳細な説明】
【技術分野】
【０００１】
この発明は、鍵であって、特に出入り口の扉に設けて開閉を制御ことのできる複数の盤体を具えた鍵に関する。
【背景技術】
【０００２】
従来の回転盤の鍵は四つの盤体を含む盤体のセットを具えているだけである。
【０００３】
よって、開錠のための数字の組み合わせが比較的少なく、容易に開錠される可能性があり、安全性が好ましくなかった。
【０００４】
前述の単一の盤体の鍵の欠点を改善するため、複数の段階の盤体セットを具えた鍵を発明した。
【０００５】
該鍵は二組以上の盤体セットを具えてなる。
【０００６】
よって、開錠の数字の組み合わせが大幅に増加し、開錠され難くなったため、比較的好ましい安全性を具えるようになった。
【０００７】
しかしながら、前述の複数の段階の盤体のセットを具えた鍵は、長期使用テストの結果、いくつかの改善すべき問題が発見された。
【０００８】
例えば、従来の鍵はいずれも隣接する方法で形成するため、全体の接続の強度が比較的弱くなる。
【０００９】
このため、強力な力を与えられると破壊され易く、組み立ても特殊な密接させる設備が必要になる。
【００１０】
よって、組み立てが比較的面倒で、コストも増加する。
【００１１】
また、それぞれの盤体を回転させる場合に何の干渉もないため、電子集音器、或いは聴診器を利用する音響の変化で簡単に開錠に必要な数字が分かる。
【発明の開示】
【発明が解決しようとする課題】
【００１２】
この発明は、それぞれが独立し、干渉する複数の盤体のセットを具え、比較的好ましい安全性を具えた複数の盤体セットを具えた鍵を提供することを課題とする。
【課題を解決するための手段】
【００１３】
そこで、本発明者は従来の技術に見られる欠点に鑑みて鋭意研究を重ねた結果、鍵座と、接続座と、第一番号発信盤と、第二番号発信盤と、第一盤体セットと、第二盤体セットと、複数の第一ネジと、複数の第二ネジと、第三ネジと、を含んでなり、
該鍵座が、座体と、該座体から延伸した管体とを具えてなり、該座体が複数の孔を具えてなり、該管体がドア板を貫通し、端縁部の外側にネジ溝段を設けてなり、
該接続座が、第一桿体と、第二桿体と、第三桿体とを含んでなり、第一桿体が中央に形成されたネジ孔と、二つの端縁ネジ孔と、複数の貫通孔とを具えてなり、該中央のネジ孔が鍵座の管体のネジ溝段を螺設するために供し、第二桿体と第一桿体との間に第一空間が形成され、第二桿体が軸溝と、軸孔とを具えてなり、該軸溝が第二桿体が第一空間に対向する側面に位置するように設けられ、該軸孔がもう一方の側面で軸溝に貫通して設けられ、第三桿体と第二桿体との間に第二空間が形成され、該第三桿体が軸孔に貫通して設けられ、
該第一番号発信盤が、第一回転盤と、駆動管とを含んでなり、第一回転盤が鍵座の座体の外側に位置するように設けられ、駆動管が鍵座の管体に回転自在に設けられ、駆動管の一端が第一回転盤上に接続し、他端に設けられた凸段が、第二桿体の軸溝に回動自在に設けられ、
該第二信号発信盤が、第二回転盤と、駆動軸とを具えてなり、第二回転盤が第一回転盤の外側に位置するように設けられ、駆動軸が駆動管と第二桿体の軸孔に回転自在に設けられ、駆動軸の一端が第二回転盤に接続し、他端が第三桿体の軸孔に回動自在に設けられた凸段を具えてなり、駆動軸の外側上の第二空間に対応する位置にネジ溝段が設けられ、戸津段の端縁面に端縁ネジ孔が設けられ、
該第一盤体セットが、少なくとも二個以上の互いに係合して組み合わせて回転する盤体で、それぞれの盤体の外周縁部には切り欠け口が設けられ、盤体が軸部を具えてなり、該軸部がネジ孔を貫通し、駆動管のネジ溝段に螺設するためにきょうされ、残った盤体がそれぞれ軸部に回転自在に設けられ、
該第二盤体セットが、少なくとも二以上の係合して組み合わせて回転する盤体で、それぞれの盤体の外周縁部には切り欠け口が設けられ、該盤体が軸部を具えてなり、該軸部がネジ孔を貫通し、駆動管のネジ溝段に螺設するために供し、残りの盤体が」それぞれ回転自在に軸部に設けられ、
該複数の第一ネジが、それぞれ座体の複数の孔とドア板を貫通し、第一桿体の二つの端縁ネジ孔に螺設され、
該複数の第二ネジが、それぞれ第一桿体の複数の貫通孔に貫通し、ドア板上に螺接し、
該第三ネジが、第三桿体の外側から駆動軸の端縁部の端縁ネジを螺設する複数の盤体セットを具えた鍵の構造によって課題を解決できる点に着眼し、かかる知見に基づいて本発明を完成させた。
【００１４】
以下、この発明について具体的に説明する。
請求項１に記載の複数の盤体セットを具えた鍵は、鍵座と、接続座と、第一番号発信盤と、第二番号発信盤と、第一盤体セットと、第二盤体セットと、複数の第一ネジと、複数の第二ネジと、第三ネジと、を含んでなり、
該鍵座が、座体と、該座体から延伸した管体とを具えてなり、該座体が複数の孔を具えてなり、該管体がドア板を貫通し、端縁部の外側にネジ溝段を設けてなり、
該接続座が、第一桿体と、第二桿体と、第三桿体とを含んでなり、第一桿体が中央に形成されたネジ孔と、二つの端縁ネジ孔と、複数の貫通孔とを具えてなり、該中央のネジ孔が鍵座の管体のネジ溝段を螺設するために供し、第二桿体と第一桿体との間に第一空間が形成され、第二桿体が軸溝と、軸孔とを具えてなり、該軸溝が第二桿体が第一空間に対向する側面に位置するように設けられ、該軸孔がもう一方の側面で軸溝に貫通して設けられ、第三桿体と第二桿体との間に第二空間が形成され、該第三桿体が軸孔に貫通して設けられ、
該第一番号発信盤が、第一回転盤と、駆動管とを含んでなり、第一回転盤が鍵座の座体の外側に位置するように設けられ、駆動管が鍵座の管体に回転自在に設けられ、駆動管の一端が第一回転盤上に接続し、他端に設けられた凸段が、第二桿体の軸溝に回動自在に設けられ、
該第二信号発信盤が、第二回転盤と、駆動軸とを具えてなり、第二回転盤が第一回転盤の外側に位置するように設けられ、駆動軸が駆動管と第二桿体の軸孔に回転自在に設けられ、駆動軸の一端が第二回転盤に接続し、他端が第三桿体の軸孔に回動自在に設けられた凸段を具えてなり、駆動軸の外側上の第二空間に対応する位置にネジ溝段が設けられ、戸津段の端縁面に端縁ネジ孔が設けられ、
該第一盤体セットが、少なくとも二個以上の互いに係合して組み合わせて回転する盤体で、それぞれの盤体の外周縁部には切り欠け口が設けられ、盤体が軸部を具えてなり、該軸部がネジ孔を貫通し、駆動管のネジ溝段に螺設するためにきょうされ、残った盤体がそれぞれ軸部に回転自在に設けられ、
該第二盤体セットが、少なくとも二以上の係合して組み合わせて回転する盤体で、それぞれの盤体の外周縁部には切り欠け口が設けられ、該盤体が軸部を具えてなり、該軸部がネジ孔を貫通し、駆動管のネジ溝段に螺設するために供し、残りの盤体がそれぞれ回転自在に軸部に設けられ、
該複数の第一ネジが、それぞれ座体の複数の孔とドア板を貫通し、第一桿体の二つの端縁ネジ孔に螺設され、
該複数の第二ネジが、それぞれ第一桿体の複数の貫通孔に貫通し、ドア板上に螺接し、
該第三ネジが、第三桿体の外側から駆動軸の端縁部の端縁ネジを螺設する。
【００１５】
請求項２に記載の複数の盤体セットを具えた鍵は、請求項１における接続座が、第一桿体の側面から平行に間隔を供えた二本の第四桿体を具えてなり、二本の第四桿体がそれぞれ第二桿体と第三桿体の両端に接続し、第一盤体セットと、第二盤体セットのそれぞれの盤体の外周縁部には複数の凸出した模様を具えてなり、さらに少なくとも一以上の干渉片を第四桿体上に接続し、該干渉片が少なくとも一以上の弾性片で斜面が延伸して一端が盤体の端縁部に当接する。
【００１６】
請求項３に記載の複数の盤体セットを具えた鍵は、請求項２における干渉片が、弾性片から延伸した固定片を具えてなり、複数の螺子で第四桿対上に固定片を螺設する。
【００１７】
請求項４に記載の複数の盤体セットを具えた鍵は、請求項３における第一盤体セットが、位置決めナットを含んでなり、第一盤体セットの一つの盤体の軸部上には位置決めナットを螺設するために供する位置決めネジ孔を具えてなり、該位置決めナットの端縁部が駆動管のネジ溝段に当接し、盤体が駆動管に固定され、
第二盤体セットが位置決めナットを含んでなり、第二盤体セットの一つの盤体の軸部上に位置決めネジ孔が位置決めナットを螺設するために供し、位置決めナットの端縁部が駆動軸のネジ溝段に当接し、盤体が駆動軸上に強固に固定される。
【発明の効果】
【００１８】
この発明による複数の盤体セットを具えた鍵は、好ましい安全性を具えているという効果を有する。
【発明を実施するための最良の形態】
【００１９】
この発明は、それぞれが独立し、干渉する複数の盤体のセットを具え、比較的好ましい安全性を具えた複数の盤体セットを具えた鍵であって、鍵座と、接続座と、第一番号発信盤と、第二番号発信盤と、第一盤体セットと、第二盤体セットと、複数の第一ネジと、複数の第二ネジと、第三ネジと、を含んでなり、
該鍵座が、座体と、該座体から延伸した管体とを具えてなり、該座体が複数の孔を具えてなり、該管体がドア板を貫通し、端縁部の外側にネジ溝段を設けてなり、
該接続座が、第一桿体と、第二桿体と、第三桿体とを含んでなり、第一桿体が中央に形成されたネジ孔と、二つの端縁ネジ孔と、複数の貫通孔とを具えてなり、該中央のネジ孔が鍵座の管体のネジ溝段を螺設するために供し、第二桿体と第一桿体との間に第一空間が形成され、第二桿体が軸溝と、軸孔とを具えてなり、該軸溝が第二桿体が第一空間に対向する側面に位置するように設けられ、該軸孔がもう一方の側面で軸溝に貫通して設けられ、第三桿体と第二桿体との間に第二空間が形成され、該第三桿体が軸孔に貫通して設けられ、
該第一番号発信盤が、第一回転盤と、駆動管とを含んでなり、第一回転盤が鍵座の座体の外側に位置するように設けられ、駆動管が鍵座の管体に回転自在に設けられ、駆動管の一端が第一回転盤上に接続し、他端に設けられた凸段が、第二桿体の軸溝に回動自在に設けられ、
該第二信号発信盤が、第二回転盤と、駆動軸とを具えてなり、第二回転盤が第一回転盤の外側に位置するように設けられ、駆動軸が駆動管と第二桿体の軸孔に回転自在に設けられ、駆動軸の一端が第二回転盤に接続し、他端が第三桿体の軸孔に回動自在に設けられた凸段を具えてなり、駆動軸の外側上の第二空間に対応する位置にネジ溝段が設けられ、戸津段の端縁面に端縁ネジ孔が設けられ、
該第一盤体セットが、少なくとも二個以上の互いに係合して組み合わせて回転する盤体で、それぞれの盤体の外周縁部には切り欠け口が設けられ、盤体が軸部を具えてなり、該軸部がネジ孔を貫通し、駆動管のネジ溝段に螺設するためにきょうされ、残った盤体がそれぞれ軸部に回転自在に設けられ、
該第二盤体セットが、少なくとも二以上の係合して組み合わせて回転する盤体で、それぞれの盤体の外周縁部には切り欠け口が設けられ、該盤体が軸部を具えてなり、該軸部がネジ孔を貫通し、駆動管のネジ溝段に螺設するために供し、残りの盤体がそれぞれ回転自在に軸部に設けられ、
該複数の第一ネジが、それぞれ座体の複数の孔とドア板を貫通し、第一桿体の二つの端縁ネジ孔に螺設され、
該複数の第二ネジが、それぞれ第一桿体の複数の貫通孔に貫通し、ドア板上に螺接し、
該第三ネジが、第三桿体の外側から駆動軸の端縁部の端縁ネジを螺設する複数の盤体セットを具えた鍵の構造と特徴を詳述するために具体的な実施例を挙げ、図示を参照にして以下に説明する。
【実施例】
【００２０】
図１から図４は、この発明の複数の盤体セットを具えた鍵を示した説明図である。
【００２１】
この発明の鍵は、鍵座１０と、接続座２０と、第一番号発信盤３０と、第二番号発信盤４０と、第一盤体セット５０と、第二盤体セット６０と、四枚の干渉片７０と、二本の第一ネジ８０と、二本の第二ネジ８１と、第三ネジ８２とを含んでなる。
【００２２】
該鍵座１０は、座体１１と、該座体１１から延伸した管体１２とを含んでなる。
【００２３】
該座体１１は二つの孔１３を具えてなり、該管体１２はドア板９０を貫通し、端縁部の外側にネジ溝段１４を設けてなる。
【００２４】
該接続座２０は、第一桿体２１と、第二桿体２２と、第三桿体２３と、二本の第四桿体２４とを含んでなる。
【００２５】
該第一桿体２１は、中央に形成されたネジ孔２１０と、該ネジ孔２１０の外周縁部に形成された二つの端縁ネジ孔２１１と、端縁部に形成された二つの貫通孔２１２とを含んでなる。
【００２６】
該中央に形成されたネジ孔２１０は、管体１２のネジ溝段１４を緊密に螺設するために供する。
【００２７】
該第二桿体２２と、第一桿体２１との間には第一空間２０ａが形成される。
【００２８】
該第二桿体２２は、第一空間２０ａに対向する側面に軸溝２２０を設けてなり、もう一方の側面に該軸溝２２０に貫通する軸孔２２１を具えてなる。
【００２９】
該第三桿体２３と、第二桿体２２との間には第二空間２０ｂが形成される。
【００３０】
該第三桿体２３は、貫通した軸孔２３０を具えてなる。
【００３１】
該第四桿体２４は、第一桿体２１から平行に延伸し、且つ第二桿体２２と、第三桿体２３の両端にそれぞれ接続する。
【００３２】
該第一番号発信盤３０は、第一回転盤３１と、駆動管３２と、位置決めナット３３とを含んでなる。
【００３３】
該第一回転盤３１は、座体１１の外側面に位置して設けられ、外側に対向する面の外周縁部に環状に数字が表記され、内側に対向する面に凸出して延伸した軸部３１０が設けられる。
【００３４】
該軸部３１０は、固定ネジ孔３１１と、側面に設けられた位置決めネジ孔３１２とを具えてなる。
【００３５】
該駆動管３２は、管体１２に回転自在に設けられ、一端に設けられた固定ネジ溝３２０が固定ネジ孔３１１に螺設するために供し、他端に設けられた凸段３２１が軸溝２２０に回動自在に設けるために供する。
【００３６】
該駆動管３２の外周面上には第一空間２０ａに対応する位置にネジ溝段３２２が設けられる。
【００３７】
該位置決めナット３３は位置決めネジ孔３１２に螺設するために供する。よって、第一回転盤３１が駆動管３２上に強固に固定されるとともに、両者を簡単に分解することができる。
【００３８】
該第二番号発信盤４０は、第二回転盤４１と、駆動軸４２と、位置決めナット４３とを含んでなる。
【００３９】
該第二回転盤４１は、第一回転盤３１の外側に位置するように設けられ、外側に対向する側面の外周縁部には環状に数字が表記され、内側に対向する側面には中央に凸出して延伸した軸部４１０が設けられる。
【００４０】
該軸部４１０は、固定ネジ孔４１１と、側面に設けられた位置決めネジ孔４１２とを具えてなる。
【００４１】
該駆動軸４２は、駆動管３２と軸孔２２１に回転自在に設けられ、一端には固定ネジ段４２０が設けられ、固定ネジ孔４１１に螺設するために供し、他端に設けられた凸段４２１が軸孔２３０に回動自在に設けるために供する。
【００４２】
該駆動軸４２の外周面上には第二空間２０ｂに対応する位置にネジ溝段４２２が設けられ、該凸段４２１の端面には端縁ネジ孔４２３が設けられる。
【００４３】
該位置決めナット４３は位置決めネジ孔４１２に螺設するために供する。よって、第二回転盤４１が駆動軸４２上に強固に固定されるとともに、両者を簡単に分解することができる。
【００４４】
第一盤体セット５０は、第一空間２０ａ内に位置するように設けられ、第一盤体５１と、第二盤体５２と、第三盤体５３と、位置決めナット５４と、二つのＯ型パッド５５と、Ｃ型パッド５６とを含んでなる。
【００４５】
該第一盤体５１は、外周縁部に押し圧成形された複数の凸出した模様５１０と、切り欠け口５１１とを具えてなる。
【００４６】
該第一盤体５１は、第二盤体５２の盤面に対向する面に中央に凸出延伸して設けられた軸部５１２と、外側端縁部に凸設された連動突起５１３とを具えてなる。
【００４７】
該軸部５１２のネジ孔５１４は、駆動管３２のネジ溝段３２２上に螺設するために供し、側面に位置決めネジ孔５１５を設けてなる。
【００４８】
第二盤体５２は、軸部５１２上に回転自在に設けられ、外周縁部に押し圧成形された複数の凸出した模様５２０と、切り欠け口５２１とを具えてなる。
【００４９】
該第二盤体５２は、第一盤体５１の盤面に対向する面の該連動突起５１３に対応する位置に互いに発動する内連動突起５２２を凸設し、第一盤体５１に対向しない盤面上に外連動突起５２３を凸設する。
【００５０】
該第三盤体５３は、軸部５１２上に回転自在に設けられ、外周縁部に押し圧成形された複数の凸出した模様５３０と、切り欠け口５３１とを具えてなる。
【００５１】
第三盤体５３は、第二盤体５２に対向する盤面に外連動突起５２３と互いに発動する連動突起５３２を設けてなる。
【００５２】
該位置決めナット５４は、位置決めネジ孔５１５に螺設して設けるため、第一盤体５１が駆動管３２上に強固に固定されるとともに、両者を簡単に分解することができる。
【００５３】
二つのＯ型パッド５５は、軸部５１２上に回転自在に設けられ、且つ第一盤体５１と第二盤体５２との間及び第三盤体５３と第二桿体２２との間にそれぞれ位置するように設けられる。
【００５４】
該Ｃ型パッド５６は、軸部５１２上に回転自在に設けられ、且つ第二盤体５２と第三盤体５３との間に位置するように設けられ、且つＣ型パッド５６の切り欠け口が軸部５１２上の位置決めネジ孔５１５に対応するように設ける。
【００５５】
該第二盤体セット６０は、第二空間２０ｂ内に位置するように設けられ、第四盤体６１と、第五盤体６２と、位置決めナット６３と、二つのＯ型パッド６４と、Ｃ型パッド６５とを含んでなる。
【００５６】
該第四盤体６１は外周縁部に押し圧成形した複数の凸出した模様６１０と、切り欠け口６１１とを具えてなる。
【００５７】
第四盤体６１は、第五盤体６２に対向する盤面の中央に凸出延伸して設けられた軸部６１２と、外側端縁部に凸設された連動突起６１３を設けてなる。
【００５８】
該軸部６１２は、ネジ孔６１４を具えてなり、駆動軸４２のネジ溝段４２２上に螺設するために供し、側面には位置決めネジ孔６１５を設けてなる。
【００５９】
該第五盤体６２は、軸部６１２上に回転自在に設けられ、外周縁部に押し圧成形された複数の凸出した模様６２０と、切り欠け口６２１とを具えてなる。
【００６０】
第五盤体６２は、第四盤体６１に対向する盤面上の連動突起６１３に対応する位置に互いに発動する連動突起６２２を凸設する。
【００６１】
該位置決めナット６３が位置決めネジ孔６１５に螺設されているため、第四盤体６１が駆動軸４２上に強固に固定され、両者を簡単に分解することができる。
【００６２】
二つのＯ型パッド６４と、Ｃ型パッド６５は、軸部６１２上に回転自在に設けられる。
【００６３】
一つのＯ型パッド６４は第四盤体６１と第五盤体６２との間に位置するように設けられる。
【００６４】
もう一方のＯ型パッド６４とＣ型パッド６５は第五盤体６２と、第三桿体２３との間に位置するように設けられる。
【００６５】
該Ｃ型パッド６５の切り欠け口が軸部６１２上の位置決めネジ孔６１５に対応するように設ける。
【００６６】
それぞれの干渉片７０は、固定片７１と、二枚の弾性片７２とを含んでなる。
【００６７】
該固定片７１は、二本の固定ナット７３で第四桿体２４上に螺設される。
【００６８】
該二枚の弾性片７２は、それぞれ固定片７１の両端縁部が傾斜延伸して第一、二、三盤体５１、５２、５３の外周縁部か、或いは第四、五盤体６１、６２の外周縁部に当接する。
【００６９】
上述のような構造により、盤体を回転すると、弾性片７２が外周縁部の複数の凸出した模様の間を動き、音を発する。
【００７０】
音が発せられるため、電子集音器、或いは聴診器で音の変化を測定することを干渉するために便利で、好ましい盗難防止効果を具えてなる。
【００７１】
二つの第一ネジ８０は、それぞれ座体１１の二つの孔１３とドア板９０を貫通し、第一桿体２１の二つの端縁ネジ孔２１１に螺設される。
【００７２】
よって、鍵座１０と接続座２０とをドア板９０上に強固に接続することができる。
【００７３】
二つの第二ネジ８１は、それぞれ第一桿体２１の二つの貫通孔２１２に貫通し、ドア板９０の背面上に螺設される。
【００７４】
よって、接続座２０がドア板９０上に強固に接続される。
【００７５】
第三ネジ８２は、第三桿体２３の外側から駆動軸４２の端縁部の端縁ネジ孔４２３に螺設される。
【００７６】
よって、駆動軸４２が接続座２０上に強固に接続される。
【００７７】
図１から図７は、この発明の複数段の盤体セットを具えた複数形態の鍵のドア板９０上の閂構造を使用する場合を示したものである。
【００７８】
該閂構造は、鍵片９１を含んでなる。該鍵片９１第一位置と第二位置との間を移動することができる。
【００７９】
該鍵片９１が第一位置にある場合、閂構造は鍵がかけられた状態を呈する。
【００８０】
鍵片９１が第二位置にある場合、閂構造は鍵が開放された状態を呈する。
【００８１】
この発明の鍵片９１は第一位置、或いは第一位置から第二位置に移動するかどうかを制御するために供する。
【００８２】
第一番号発信盤３０で第一盤体５１を回転して駆動する。第一盤体５１、第二盤体５２、第三盤体５３は、その間の連動突起５１３、内連動突起５２２、外連動突起５２３と、連動突起５３２で、順序に従って回転される。
【００８３】
第二番号発信盤４０で第四盤体６１を回転させると、第四盤体６１の連動突起６１３が第五盤体６２の連動突起６２２を発動し、第五盤体６２が連動して回転する。
【００８４】
図３、図５に開示するように、第一盤体５１、第二盤体５２、第三盤体５３、第四盤体６１、第五盤体６２が回転され、切り欠け口５１１、５２１、５３１、６１１、６２１のどれかが鍵片９１に対応する位置から離れると、鍵片９１が第一位置に当接され、閂構造が鍵の掛かった状態を呈する。
【００８５】
一方、図６、７の場合、閂構造は鍵の開放された状態を呈する。
【００８６】
この発明において、第一盤体セット５０と、第二盤体セット６０の盤体の数は必要に応じて増減することができる。
【００８７】
例えば、第一盤体セット５０は四枚の盤体で、第二盤体セット６０は四枚の盤体である場合、１６種類の組み合わせを具えてなり、開錠する番号の組み合わせの数は１５兆３７６０億組に達し、便利である。２
【００８８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許登録請求の範囲に属するものとする。
【図面の簡単な説明】
【００８９】
【図１】この発明の複数の盤体セットを具えた鍵を示した分解図である。
【図２】この発明の複数の盤体セットを具えた鍵の第一盤体セットと第二盤体セットを示した拡大図である。
【図３】この発明の複数の盤体セットを具えた鍵を組み合わせた状態を示した拡大図である。
【図４】この発明の複数の盤体セットを具えた鍵を組み合わせた状態を示した断面図である。
【図５】この発明の複数の盤体セットを具えた鍵を組み合わせた状態を下から見た状態を示した図である。
【図６】この発明の複数の盤体セットを具えた鍵を開錠する動作を示した説明図である。
【図７】この発明の複数の盤体セットを具えた鍵を開錠する動作を下から見た状態を示した説明図である。
【符号の説明】
【００９０】
１０         鍵座
１１         座体
１２         管体
１３         孔
１４         ネジ溝段
２０         接続座
２０ａ       第一空間
２０ｂ       第二空間
２１         第一桿体
２１０       ネジ孔
２１１       端縁ネジ孔
２１２       貫通孔
２２         第二桿体
２２０       軸溝
２２１       軸孔
２３         第三桿体
２３０       軸孔
２４         第四桿体
３０         第一番号発信盤
３１         第一回転盤
３１０       軸部
３１１       固定ネジ孔
３１２       位置決めネジ孔
３２         駆動管
３２０       固定ネジ溝
３２１       凸段
３２２       ネジ溝段
３３         位置決めナット
４０         第二番号発信盤
４１         第二回転盤
４１０       軸部
４１１       固定ネジ孔
４１２       位置決めネジ孔
４２         駆動軸
４２０       固定ネジ段
４２１       凸段
４２２       ネジ溝段
４２３       端縁ネジ孔
４３         位置決めナット
５０         第一盤体セット
５１         第一盤体
５１０       模様
５１１       切り欠け口
５１２       軸部
５１３       連動突起
５１４       ネジ孔
５１５       位置決めネジ孔
５２         第二盤体
５２０       模様
５２１       切り欠け口
５２２       内連動突起
５２３       外連動突起
５３         第三盤体
５３０       模様
５３１       切り欠け口
５３２       連動突起
５４         位置決めナット
５５         Ｏ型パッド
５６         Ｃ型パッド
６０         第二盤体セット
６１         第四盤体
６１０       模様
６１１       切り欠け口
６１２       軸部
６１３       連動突起
６１４       ネジ孔
６１５       位置決めネジ孔
６２         第五盤体
６２０       模様
６２１       切り欠け口
６２２       連動突起
６３         位置決めナット
６４         Ｏ型パッド
６５         Ｃ型パッド
７０         干渉片
７１         固定片
７２         弾性片
７３         固定ナット
８０         第一ネジ
８１         第二ネジ
８２         第三ネジ
９０         ドア板
９１         鍵片
【図１】
2011064027.tif 000003
【図２】
2011064027.tif 000004
【図３】
2011064027.tif 000005
【図４】
2011064027.tif 000006
【図５】
2011064027.tif 000007
【図６】
2011064027.tif 000008
【図７】
2011064027.tif 000009